(57)【要約】【課題】画像形成済みの転写紙の束に、新たな画像を形成した転写紙を挿入することができる画像形成装置を提供する。【解決手段】画像形成時に原稿枚数、複写部数等の設定情報を記憶する設定記憶部８０１と、操作表示パネル２００を介して所定のページが入力されると共に編集モードが指示されたとき、ユーザーに画像形成済みの転写紙を給紙部３０に収納させるガイド表示を操作表示パネル２００に表示させ、設定記憶部８０１に記憶された設定情報に従って、給紙部３０に収納された画像形成済みの転写紙を像形成部を経由して搬送させ、ソータ部１００に排出させ、さらに前記所定のページの位置に、新たに画像形成した転写紙を挿入してソータ部１００に排出させる編集制御部８０２とを備えた。【選択図】図５
2004133306.tif 000002
【特許請求の範囲】
【請求項１】
第１の用紙載置部に載置された転写紙に対して像形成部で形成された画像の転写を行い、予め操作部を介して所望セット数を複写するべくソート条件が設定されているときは、ソート条件に従って並び替え部を動作させることにより前記画像が転写された転写紙をソートし、セット毎に排出部に排出する像形成モードを実行させる制御部を備えた画像形成装置において、前記操作部は、セット毎の転写紙束に対して所定のページを指定する入力と共に編集モードの動作指示の設定を受け付けるもので、前記制御部は、前記実行した像形成モードに対応するセット数及び一セットあたりの転写数を有する設定情報を記憶する記憶手段を備えると共に、前記編集モードが指示されたとき、セット数分の転写紙束を積層して載置した第２の用紙載置部から転写紙を、一枚ずつ前記像形成部を経由して搬送させ、前記記憶手段に記憶された前記設定情報に従って前記並び替え部を動作させて前記排出部に排出させると共に、前記所定のページの前後の転写紙の搬送間に、前記第１の用紙載置部から繰り出した転写紙に対して前記像形成モードを実行させることを特徴とする画像形成装置。
【請求項２】
前記編集モードは、前記第１、第２の用紙載置部から繰り出された転写紙を第１の排出部に排出する挿入モードであることを特徴とする請求項１記載の画像形成装置。
【請求項３】
前記編集モードは、前記第１、第２の用紙載置部から繰り出された転写紙を第１の排出部に排出すると共に、前記転写紙束内の前記所定のページの転写紙を第２の排出部に排出する差し替えモードであることを特徴とする請求項１記載の画像形成装置。
【請求項４】
前記編集モードが指示されたとき、前記像形成モードにより前記排出部に排出された転写紙を、前記第２の用紙載置部に載置させるべくガイド表示を行うガイド表示手段をさらに備えることを特徴とする請求項１〜３のいずれかに記載の画像形成装置。
【発明の詳細な説明】
【０００１】
【発明の属する技術分野】
本発明は、ソート等の機能を備えた画像形成装置に関するものである。
【０００２】
【従来の技術】
従来、複写機等の画像形成装置として、原稿の画像が転写された転写紙をそのまま排出するモードの他に、原稿と同一のページ順に並べて排出し、所定の部数分のコピー物を作成するソート機能を備えたものがある（例えば、特許文献１参照。）。
【０００３】
図１６は、このようなソート機能を用いて３ページからなる原稿１１０を３部画像形成した場合の出力結果を示す図である。原稿１１０をソートモードで画像形成した場合、原稿と同じＡ，Ｂ，Ｃの順でページが並べられた画像形成済みの転写紙が３部出力されるソート出力状態１１１の出力結果が得られる。
【０００４】
【特許文献１】
特開平０８−２４８６９８号公報
【０００５】
【発明が解決しようとする課題】
しかし、上記のような、ソート機能を備えた画像形成装置を用いて、ソート出力状態１１１で出力させた画像形成済みの転写紙の束の、所定のページに新たな画像を形成した転写紙を挿入する場合には、ユーザーが手作業で出力部数分の転写紙の束に、新たな画像を形成した転写紙を挿入する必要がある。特に、部数が多い場合、各部の枚数が多い場合には非常な手間となる。
【０００６】
本発明は上記事情に鑑みてなされたもので、画像形成済みの転写紙の束に、新たな画像を形成した転写紙を挿入することができる画像形成装置を提供することを目的とする。
【０００７】
【課題を解決するための手段】
請求項１に記載の発明は、第１の用紙載置部に載置された転写紙に対して像形成部で形成された画像の転写を行い、予め操作部を介して所望セット数を複写するべくソート条件が設定されているときは、ソート条件に従って並び替え部を動作させることにより前記画像が転写された転写紙をソートし、セット毎に排出部に排出する像形成モードを実行させる制御部を備えた画像形成装置において、前記操作部は、セット毎の転写紙束に対して所定のページを指定する入力と共に編集モードの動作指示の設定を受け付けるもので、前記制御部は、前記実行した像形成モードに対応するセット数及び一セットあたりの転写数を有する設定情報を記憶する記憶手段を備えると共に、前記編集モードが指示されたとき、セット数分の転写紙束を積層して載置した第２の用紙載置部から転写紙を、一枚ずつ前記像形成部を経由して搬送させ、前記記憶手段に記憶された前記設定情報に従って前記並び替え部を動作させて前記排出部に排出させると共に、前記所定のページの前後の転写紙の搬送間に、前記第１の用紙載置部から繰り出した転写紙に対して前記像形成モードを実行させることを特徴としている。
【０００８】
請求項１に記載の発明によれば、前記ソート条件が設定されているときは、前記第１の用紙載置部に載置された転写紙は、前記像形成部で形成された画像が転写され、前記ソート条件に従ってソートされ、セット毎に前記排出部に排出される。また、前記編集モードが指示されたときは、前記第２の用紙載置部に積層して収納されたセット数分の転写紙束は、一枚ずつ前記像形成部を経由して搬送され、前記記憶手段に記憶された前記設定情報に従って動作する前記並び替え部により前記排出部に排出される。さらに、前記セット数分の転写紙束の前記所定のページの前後の転写紙の搬送間に、前記第１の用紙載置部から繰り出され、前記像形成部で形成された画像が転写された転写紙が、前記排出部に排出されるので、前記セット数分の転写紙束の前記所定のページの前後の転写紙間に、前記新たに画像形成された転写紙が挿入される。
【０００９】
請求項２に記載の発明は、請求項１記載の画像形成装置において、前記編集モードは、前記第１、第２の用紙載置部から繰り出された転写紙を第１の排出部に排出する挿入モードであることを特徴としている。請求項２に記載の発明によれば、前記第２の用紙載置部から繰り出された転写紙束に、前記第１の用紙載置部から繰り出されると共に前記画像が画像形成された転写紙が、追加挿入されると共に前記第１の排出部に排出される。
【００１０】
請求項３に記載の発明は、請求項１記載の画像形成装置において、前記編集モードは、前記第１、第２の用紙載置部から繰り出された転写紙を第１の排出部に排出すると共に、前記転写紙束内の前記所定のページの転写紙を第２の排出部に排出する差し替えモードであることを特徴としている。請求項３に記載の発明によれば、前記第２の用紙載置部から繰り出された転写紙束は、前記転写紙束内の所定のページの転写紙と、前記第１の収納部から繰り出されると共に前記原稿画像が画像形成された転写紙とが、差し替えられると共に前記第１の排出部に排出される。
【００１１】
請求項４に記載の発明は、請求項１〜３のいずれかに記載の画像形成装置において、前記編集モードが指示されたとき、前記像形成モードにより前記排出部に排出された転写紙を、前記第２の用紙載置部に載置させるべくガイド表示を行うガイド表示手段をさらに備えることを特徴としている。請求項４に記載の発明によれば、前記編集モードが指示されたとき、前記ガイド表示手段により、前記像形成モードにより前記排出部に排出された転写紙を前記編集の対象となる転写紙として前記第２の収納部に収納させるためのガイドが表示される。
【００１２】
【発明の実施の形態】
図１は本発明の一実施形態に係る画像形成装置の正面断面図である。この画像形成装置は、複写機本体１と、この複写機本体１の上部に設置された原稿押えを兼用する原稿搬送機構１０と、複写機本体１の一側辺部に設置された給紙部３０と、他側辺部に設置されたソータ部１００とを備えた複写機等からなり、ソータ部１００に画像転写後の用紙が排出されるように構成されている。そして、複写機本体１の上面中央にはコンタクトガラス７が配設され、その下方には光学系部５０と、像形成部６０と、用紙搬送部７０と、定着部８０とが配設されている。
【００１３】
原稿搬送機構１０は、原稿載置部１１と、搬入ローラ対等を備えた搬入駆動部１２と、搬送ベルト１３と、排出ローラ１４と、排紙台１５と、原稿の有無を検出する原稿検出スイッチ１６とを備え、原稿載置部１１に載置された原稿を自動的に一枚ずつコンタクトガラス７上の所定位置まで搬入した後に一旦停止させ、原稿の露光走査後に排紙台１５に排出するものである。
【００１４】
給紙部３０は、サイズ、縦横向きの種類毎の転写紙が収納される給紙デッキ部３１，３２，３３および手差し給紙部３４から構成されている。手差し給紙部３４は、手差しトレイ３４１に載置された用紙を給紙するものである。給紙デッキ部３１，３２，３３は、それぞれ上方の給紙位置と下方の補給位置の間を昇降可能に支持された用紙載置板４０上に複数枚の用紙が載置され、前記給紙位置において最上位の用紙を給紙ローラ４１、搬送ローラ４３及びさばきローラ４４によって所定のタイミングで順次給紙するように構成されている。給紙部３０の給紙デッキ部３１，３２，３３および手差し給紙部３４には、画像形成用の用紙（転写紙）と、編集の対象となる画像形成済みの用紙（転写紙）とを収納することが可能にされている。
【００１５】
また、給紙部３０は、用紙載置板４０上に編集対象の用紙が載置された場合に、その中に混在する場合のあるサイズの小さい用紙に対して給紙ローラ４１の位置まで前送りする前送りローラ４２を備えている。また、給紙部３０は、後述する仕切り板３１１上に用紙がなくなったことを検出する用紙センサ４５を備えている。
【００１６】
用紙センサ４５は、例えば発光部と受光部とを備えた反射型フォトセンサで、発光部からの光が反射板３１２で反射した光を受光部で検出することで主制御部８は、編集対象の用紙なしと判断することとしている。
【００１７】
反射板３１２（図３参照）は、仕切り板３１１の上面部に設けられ、用紙面よりも光の反射率が高い鏡面部材から構成される。これにより、用紙センサ４５は、発光部からの光が反射板３１２で反射した場合と用紙面で反射した場合との反射光の強度の差を判別して、発光部からの光が反射板３１２で反射したことを検出する。
【００１８】
なお、反射板３１２は、例えば黒色材が塗布された光吸収材で構成され、用紙センサ４５は発光部からの光が反射板３１２で吸収されて受光部で検出されないことにより、編集対象の用紙なしと判断する構成としてもよい。
【００１９】
図２は、給紙デッキ部３１の用紙載置板４０上に編集対象の用紙４６，４７が載置された状態を示す斜視図である。
【００２０】
なお、以下、説明の便宜上、編集対象（転写済み）の用紙を用紙４６といい、未転写の用紙を用紙３１４（図３参照）という。用紙４６は、例えばＡ３サイズの用紙で、用紙載置板４０上に載置された状態で、その先端部が給紙デッキ部３１の壁面に当接すると共にその上面が給紙ローラ４１に当接している。また、用紙４７は、例えばＡ４サイズの用紙で、用紙４６よりも小さいためその先端部は給紙ローラ４１に届かない状態で、編集対象の用紙の最上位に載置されている場合もあり得る。この状態で、編集対象の用紙を搬送する方向の手前側に、例えば給紙デッキ部３１の略中間位置に前送りローラ４２が設けられ、前送りローラ４２の回転動作により、用紙４７を給紙ローラ４１の位置まで搬送する。これにより、編集対象の用紙にサイズの異なる用紙が先端が合わされていない状態で混在している場合であっても、給紙することが可能にされている。
【００２１】
図３は、給紙デッキ部３１の用紙載置板４０上に画像形成用の用紙３１４が載置された状態を示す斜視図である。給紙デッキ部３１の用紙を搬送する方向と平行な両側壁面部の内面には、相対応する位置に凹陥部３１３が用紙搬送方向の略中央から手前側端位置に亘って形成されている。凹陥部３１３には、編集動作時に既に存在する用紙３１４の上に載置される用紙４６を用紙３１４と仕切るための仕切り板３１１がスライド可能に嵌め込まれている。
【００２２】
給紙デッキ部３１は、サイズ調整用部品（図略）の操作のため、あるいは最大サイズの用紙に対応しうる大きさに形成された場合に、それ以下のサイズの用紙が先端揃えで載置されることから用紙搬送方向の手前側に所定の空間が存在するのが一般的であり、凹陥部３１３は、給紙デッキ部３１内の手前側は、仕切り板３１１の厚みに対応する退避用とされ、先頭側に向けて、上下方向に幅広となる形状にされており、用紙３１４の載置高さを吸収している。仕切り板３１１は、凹陥部３１３の先端位置で、上面の反射板３１２が用紙センサ４５に対向する。
【００２３】
図１に戻って、給紙デッキ部３２，３３は、本実施形態では図２〜図４に示す給紙デッキ部３１と同様の構成からなり、例えば給紙デッキ部３１，３２，３３にそれぞれＡ３，Ａ４，Ｂ５サイズの用紙を収納しておき、給紙を行う給紙デッキ部を選択することによって、画像形成する用紙のサイズが選択可能にされている。
【００２４】
光学系部５０は、露光ランプ５１および反射板５２からなるライン状の光源と、反射鏡５３ａ，５３ｂ，５３ｃ，５３ｄ，５３ｅ，５３ｆおよびレンズ５４とを備え、露光ランプ５１および反射板５２からなる光源と、反射鏡５３ａと、反射鏡５３ｂ，５３ｃとが、それぞれ所定の速度で図１の左右方向（副走査方向）に往復駆動されるとともに、往動時に原稿画像の露光走査を行って原稿の光像を生成する。
【００２５】
像形成部６０は、回転可能に支持されたドラム状の感光体６１と、この感光体６１の周囲に配設された主帯電部６２と、現像部６３と、転写分離部６４と、クリーニング部６５と、除電部６６とを備えている。主帯電部６２は、感光体６１の表面を所定電位に均一に帯電させるものであり、その下流側に原稿の光像が露光される露光域が設けられ、この露光域において感光体６１表面に静電潜像が形成されるように構成されている。
【００２６】
また、現像部６３は、静電潜像にトナーを付着させて顕在化させるものであり、転写分離部６４は、感光体６１表面のトナー像を用紙に転写するとともに、転写後の用紙を感光体６１から分離させるものである。さらに、クリーニング部６５は、転写後に感光体６１の表面に残留しているトナーを清掃するものであり、除電部６６は、感光体６１表面の残留電荷を消去するものである。
【００２７】
用紙搬送部７０は、給紙部３０から給紙された用紙を感光体６１に向けて搬送する搬送ローラ対７１と、フィードローラ対７４と、光学系部５０の走査タイミングに同期して駆動されるレジストローラ対７５と、感光体６１から分離された用紙を定着部８０に搬送する搬送ベルト７６と、定着部８０によってトナー像が定着された用紙を定着部８０から導出する導出ローラ対７７と、用紙をソータ部１００へ排出する排出ローラ対７８とを有する。
【００２８】
また、ソータ部１００は、排出分岐ガイド１０１と複数段の排出ビンとからなり、最上段部の排出ビンをノンソートビン１０２とし、それ以下の複数段の排出ビンを有するソートビン１０３とを有している。排出分岐ガイド１０１は図示しない駆動部により、用紙の排出方向をノンソートビン１０２側とソートビン１０３側とに切り換え可能になっている。
【００２９】
ビン昇降機構１０４は、複写機本体１からの用紙の排出に同期してソートビン１０３の各ビンを順次１段ずつ下降させて排出口に対向させるもので、これにより、用紙を各ビン上に順番に収納することで、ソート機能を実現する。なお、ソートビン１０３は、単一の排出部で構成されるとともに、ソートされた用紙あるいは追加挿入、差し替え等の編集をされた用紙が、各部（セット）単位で排出位置をずらす等の方法により、前記単一の排出部に排出される構成であってもよい。
【００３０】
図５は、画像形成装置のブロック構成図である。図５において、画像形成装置は、各種の入力キースイッチ等として機能する操作表示パネル２００と、この操作表示パネル２００からの入力信号に応じて複写機本体１を制御する主制御部８、原稿搬送機構１０を制御する原稿搬送制御部１７及び、ソータ部１００を制御するソータ制御部１０５からなる制御部とを備えている。主制御部８と、他の原稿搬送制御部１７およびソータ制御部１０５との間でシリアル通信が行われ、各種のデータおよび動作タイミングを送受信して各部の動作制御が実行されるようになっている。
【００３１】
図６、図７、図８は、操作表示パネル２００の表示の一例を示す図である。操作表示パネル２００は、例えば液晶表示パネルの表面に透明の感圧センサが設けられたタッチパネルで構成され、種々の情報を表示すると共に、用紙選択キー２０１、プリントキー２０２、セットキー２０３、ソートキー２０４、編集キー２０５、追加挿入キー２０６、差し替えキー２０７及びキー選択タブ２０８等の入力手段として機能する。
【００３２】
図６を参照して、用紙選択キー２０１は、画像形成する用紙のサイズを選択する選択キーである。また、自動用紙を選択するキーを備え、このキーが指定された場合、原稿検出スイッチ１６により原稿サイズを検出して、原稿の大きさにあわせたサイズの用紙の選択が可能にされている。
【００３３】
プリントキー２０２は、複写動作の開始を指示するスタートキーである。セットキー２０３は、複写枚数（セット数）を設定入力するキーで、セットキー２０３が指定されることに応答して原稿枚数（一セットあたりの転写数）及び複写枚数（セット数）を指示するためのキーが表示され、それぞれ数値入力が可能にされる。
【００３４】
ソートキー２０４は、画像形成された用紙をソートしてソートビン１０３へ排出させるソートモードの設定を行うキーである。キー選択タブ２０８は、機能ごとに設けられた他の入力キーを操作表示パネル２００に表示させるためのキーである。
【００３５】
図７は、キー選択タブ２０８の「機能リスト」キーを押圧した場合に操作表示パネル２００に表示される入力キーの一例を示す図である。編集キー２０５は、新たな原稿を複写して得られた用紙を、ソート出力状態１１１で並べられた用紙束の所定のページに、挿入したり、あるいは差し替えたりする編集モードを指定するキーである。編集キー２０５を押圧した場合、操作表示パネル２００に、例えば図８に示す編集設定画面２０９が表示される。
【００３６】
追加挿入キー２０６は、ソート出力状態１１１で並べられた用紙束の所定のページに、新たな原稿を複写して得られた用紙を挿入する追加挿入モードを選択するためのキーである。差し替えキー２０７は、ソート出力状態１１１で並べられた用紙束の所定のページを、新たな原稿を複写して得られた用紙と差し替える差し替えモードを選択するためのキーである。
【００３７】
図５に戻って、原稿搬送制御部１７は、原稿搬送機構１０の制御プログラムを記憶するＲＯＭや一時的にデータを保管するＲＡＭが内蔵されたマイクロコンピュータ等からなり、原稿搬送機構１０に設けられた原稿搬送駆動部の動作を制御する制御信号を出力するように構成されている。また、原稿搬送制御部１７は、原稿検出スイッチ１６で得られた検出信号から原稿の有無を検出し、原稿が無くなるまで原稿搬送機構１０に原稿の給紙動作を繰り返させると共に、その原稿の枚数をカウントした原稿枚数データと、前記原稿の検出信号とを主制御部８へ出力する。
【００３８】
ソータ制御部１０５は、ソータ部１００の制御プログラムを記憶するＲＯＭや一時的にデータを保管するＲＡＭが内蔵されたマイクロコンピュータからなり、ソータ部１００に設けられた搬送ローラ対、ビン昇降機構１０４および排出分岐ガイド１０１の駆動部等の動作を制御するものである。例えば、後述する主制御部８からソータ制御部１０５へ出力されたビン切換信号に応じて、ソータ制御部１０５により排出分岐ガイド１０１の動作が制御され、用紙の排出方向がノンソートビン１０２側あるいはソートビン１０３側に切り換えられる。また、主制御部８からソータ制御部１０５へ出力されたソートビン降下信号に応じて、ソータ制御部１０５によりビン昇降機構１０４の動作が制御され、ソートビン１０３各排出ビンが順次１段ずつ上下方向の一方向に移動させられる。
【００３９】
主制御部８は、複写機本体１の制御プログラムを記憶するＲＯＭや一時的にデータを保管するＲＡＭが内蔵されたマイクロコンピュータからなり、プリントキー２０２が押された時点で、複写動作を開始させる制御信号を複写機本体１内の各部に出力するように構成されている。また、ソートキー２０４等の設定キーで設定された内容に基づき、原稿搬送制御部１７、給紙部３０、用紙搬送部７０、光学系部５０、像形成部６０及びソータ制御部１０５の各部に制御信号を出力するようになっている。
【００４０】
また、主制御部８は、セットキー２０３で得られた複写枚数（セット数）、用紙選択キー２０１で得られた画像形成する用紙のサイズ及び原稿搬送制御部１７で得られた原稿枚数（一セットあたりの転写数）等の設定情報を記憶する設定記憶部８０１と、追加挿入キー２０６あるいは差し替えキー２０７によって編集モードが設定された場合に、原稿搬送制御部１７、給紙部３０、用紙搬送部７０、光学系部５０、像形成部６０及びソータ制御部１０５の各部に制御信号を出力して編集モードでの動作を行わせる編集制御部８０２とを備える。
【００４１】
設定記憶部８０１は、プリントキー２０２が押圧されて実行された複数回数分の複写動作に対応する前記設定情報を記憶する。この場合、例えば、前記設定情報毎に当該設定情報に基づいて複写動作を開始させた時刻情報を記憶するようにしてもよい。また、設定記憶部８０１は、画像形成する用紙として「自動用紙」が選択されていた場合には、複写動作時に自動選択した用紙サイズを記憶し、複写動作時に異なるサイズの混在した原稿を「自動用紙」を選択して複写動作を行った場合には、原稿の各ページ毎に自動選択した用紙サイズを記憶するようにしてもよい。なお、複写機本体１が、パーソナルコンピュータ等の外部装置のプリンターとしても使用可能である場合には、設定記憶部８０１は、前記設定情報として前記外部装置で得られた設定情報等を記憶することとしてもよい。
【００４２】
編集制御部８０２は、編集モードが設定された場合、操作表示パネル２００に、設定記憶部８０１に記憶された前記設定情報をユーザーが選択可能に、例えば図９に示す出力管理画面２１０として一覧表示させる。出力管理画面２１０では、複写動作毎の設定情報を一つの単位とするジョブとして表示しており、ジョブ番号欄２１３の欄には、ジョブを識別するジョブ番号が表示されている。出力管理画面２１０にはジョブ番号１、２及び３で示される３つのジョブが表示され、各ジョブ番号の横に一列に当該ジョブの設定情報が選択可能に表示され、例えばジョブ番号２の設定情報が表示されている画面上を押圧後、選択キー２１８を押圧することにより、ジョブ番号２の設定情報を選択できるようになっている。
【００４３】
原稿枚数欄２１５には各ジョブ毎の原稿枚数が表示され、セット欄２１６には複写枚数（セット数）が表示され、登録日時欄２１７には各ジョブを実行した時刻情報が表示されている。また、複写機本体１が、パーソナルコンピュータ等の外部装置のプリンターとして使用された場合には、例えばプリンターのジョブであることを示すプリンタジョブマーク２１９を表示し、原稿複写のジョブである場合には、コピージョブマーク２２０を表示してもよい。また、ユーザー名等のユーザー情報を表示するユーザー情報欄２１４を設け、パーソナルコンピュータ等の外部装置から得られたユーザー名等を表示してもよい。これら時刻情報等を各ジョブ毎に出力管理画面２１０に表示させることにより、ユーザーが所定の設定情報を識別し、選択することが容易にされている。
【００４４】
また、編集制御部８０２は、追加挿入キー２０６及び差し替えキー２０７が押圧された場合、追加挿入及び差し替え対象となるページを設定するための設定画面を操作表示パネル２００に表示させ、ユーザーによって操作表示パネル２００に入力されたページを記憶する。そして、編集制御部８０２は、ユーザーによって選択された設定情報から用紙サイズの情報を取得し、当該サイズに応じて給紙デッキ部３１，３２，３３及び手差し給紙部３４のいずれかを選択して、ユーザーに当該選択した給紙デッキ部等に編集対象となる画像形成済みの用紙を収納させる編集準備指示を操作表示パネル２００に表示させる。この場合、前記用紙サイズの情報が、複数の用紙サイズが混在したものであったときは、最も大きいサイズの用紙を収納可能な給紙デッキ部等を選択する。
【００４５】
また、編集制御部８０２は、ユーザーによって選択された前記設定情報から原稿枚数と複写枚数（セット数）とを取得する。そして、編集制御部８０２は、追加挿入モードが選択されている場合には、原稿搬送制御部１７、給紙部３０、用紙搬送部７０、光学系部５０、像形成部６０及びソータ制御部１０５の各部に制御信号を出力し、前記選択した給紙デッキ部等から前記記憶したページの前まで編集対象の用紙をソートビン１０３に排出させた後、原稿載置部１１に載置された追加原稿の複写を行わせてソートビン１０３に排出させ、さらに前記記憶したページ以降の編集対象の用紙をソートビン１０３に排出させる。この場合、当該追加原稿の画像を転写するための用紙は、前記選択した給紙デッキ部とは異なる給紙デッキ部又は手差し給紙部から取り出される。
【００４６】
一方、編集制御部８０２は、差し替えモードが選択されている場合には、上記追加挿入モードの場合と同様に各部に制御信号を出力し、前記選択した給紙デッキ部等から前記記憶したページの前まで編集対象の用紙をソートビン１０３に排出させた後、原稿載置部１１に載置された追加原稿の複写を行わせてソートビン１０３に排出させ、さらに前記記憶したページの編集対象の用紙をノンソートビン１０２に排出させた後、前記記憶したページより後のページの編集対象の用紙をソートビン１０３に排出させる。
【００４７】
また、編集制御部８０２は、編集実行時に、編集対象の用紙の枚数、すなわち前記原稿枚数と前記複写枚数（セット数）との積により求められる枚数の用紙を給紙ローラ４１により給紙する前に、用紙センサ４５から投光された光が反射板３１２で反射されて用紙センサ４５で受光されたことを示す検出信号が、主制御部８で受信された場合には、編集動作が正常に行われなかったことをユーザーに通知するための画面を操作表示パネル２００に表示させる。
【００４８】
図１０は、上記構成の画像形成装置の複写動作を示すフローチャートである。まず、操作表示パネル２００においてソートモード等の設定がされると共に、枚数セットキー２０３により複写枚数（セット数）が設定され、用紙選択キー２０１で用紙が選択され、これら設定情報が入力された状態で（ステップＳ１０１）、プリントキー２０２が押圧されると（ステップＳ１０２）、入力された設定情報が現在の時刻情報と共に設定記憶部８０１に記憶される（ステップＳ１０３）。
【００４９】
そして、複写動作が開始され、原稿載置部１１に載置された原稿がコンタクトガラス７上に搬送されると共に原稿のサイズが検出されて、当該検出された原稿サイズを示す原稿サイズデータが主制御部８へ出力される（ステップＳ１０４）。
【００５０】
次に、主制御部８により、画像形成を行う用紙のサイズが決定され、当該用紙のサイズが、各原稿毎にその原稿のページと対応可能に設定記憶部８０１に記憶される（ステップＳ１０５）。この場合、前記画像形成を行う用紙のサイズとしては、前記設定情報として固定サイズの用紙が選択されていた場合には、選択されていた用紙サイズが用いられ、一方、前記設定情報として自動用紙が選択されていた場合には、前記原稿サイズデータが用いられる。
【００５１】
次に、光源部からの光がコンタクトガラス７上に載置された原稿に投射されると、その反射光が反射鏡５３ａ〜５３ｃを介してレンズ部５４に導かれた後、反射鏡５３ｄ〜５３ｆを経て感光体６１の露光域に投射される。このとき、主帯電部６２により感光体６１表面が均一に帯電されており、光学系部５０により感光体６１の転写領域が露光されて静電潜像が形成される（ステップＳ１０６）。次に、現像部６３から感光体６１に供給される帯電トナーが前記静電潜像に付着して現像が行われる（ステップＳ１０７）。
【００５２】
一方、用紙は、給紙部３０から給紙された後、用紙搬送部７０によってレジストローラ対７５の設置部まで搬送され、このレジストローラ対７５により光学系部５０の動作に同期して感光体６１と転写分離部６４の隙間に搬送される（ステップＳ１０８）。そして、転写分離部６４により感光体６１のトナー像が当該用紙上に転写された後、感光体６１から分離され、分離された用紙は搬送ベルト７６により定着部８０の設置部に搬送される。この定着部８０において、前記トナー像が用紙上に定着され（ステップＳ１０９）た後、導出ローラ対７７により搬送され、排出ローラ対７８の設置部を経て画像形成された用紙がソータ部１００に排出される。
【００５３】
次に、主制御部８によって、ソートモードの設定がされているか否かが判断され、ソートモードの設定がされていない通常モードの場合（ステップＳ１１０でＮＯ）、主制御部８からソータ制御部１０５へ通常モードでの動作をさせるための制御信号が出力されて、ソータ制御部１０５は前記画像形成された用紙をノンソートビン１０２に排出させ（ステップＳ１１１）、一方、ソートモードの設定がされていた場合（ステップＳ１１０でＹＥＳ）には、主制御部８からソータ制御部１０５へソートモードでの動作をさせるための制御信号が出力されて、ソータ制御部１０５はソートビン１０３の各ビンに順次排出させてソートを行う（ステップＳ１１２）。
【００５４】
次に、主制御部８は、前記設定情報として設定された複写枚数（セット数）分の複写動作が行われたか否かを判断し、まだ前記複写枚数（セット数）分の複写動作が実行されていない場合は（ステップＳ１１３でＮＯ）再びステップＳ１０６へ移行して同じ原稿の複写動作を繰り返す。一方、前記複写枚数（セット数）分の複写動作が実行されていた場合には（ステップＳ１１３でＹＥＳ）、ステップＳ１１４に移行する。
【００５５】
次に、主制御部８は、原稿検出スイッチ１６で得られた原稿の検出信号から、原稿載置部１１に次の原稿があるか否かを判断し、次の原稿がある場合には（ステップＳ１１４でＹＥＳ）、ステップＳ１０３へ移行して次の原稿の複写動作を行わせる。一方、次の原稿が無い場合には（ステップＳ１１４でＮＯ）、原稿搬送制御部１７で得られた原稿枚数データを受信すると共に、当該原稿枚数を設定記憶部８０１に記憶させて原稿複写動作を終了する。
【００５６】
以上、ステップＳ１０１〜Ｓ１１５の動作により、複数枚数の原稿が複写され、ソートモードの設定に応じて画像形成された用紙がソータ部１００に排出される。そして、ソートモードの設定がされている場合は、前記画像形成された用紙がソートビン１０３に、ソート出力状態１１１（図１１，図１２参照）で出力される。
【００５７】
また、一連の原稿複写動作（ジョブ）毎に、当該原稿枚数、複写枚数（セット数）、ソートモード等の設定内容、原稿のページ毎の画像形成を行った用紙のサイズ、及び当該原稿複写動作が実行された時刻情報が設定記憶部８０１に記憶される。
【００５８】
なお、本実施形態では、原稿に投射された反射光を光学系部５０により感光体６１が直接光学的に露光されて静電潜像が形成される画像形成装置の例を示したが、スキャナで読み取られた原稿画像からデジタル画像データが生成され、そのデジタル画像データに基づいてレーザ走査ユニットから感光体６１に投射されたレーザービームにより静電潜像が生成されるデジタル方式の画像形成装置であってもよい。また、パーソナルコンピュータ等の外部装置から原稿画像を表わしたデジタル画像データを受信して画像形成を行うプリンター等の画像形成装置であってもよく、この場合、光学系部５０を備えない構成であってもよい。また、ファクシミリ等他の画像形成装置であってもよい。
【００５９】
図１３は、ソート出力状態１１１で出力された用紙の編集動作を示すフローチャートである。まず、操作表示パネル２００に図６に示す操作画面が表示され、キー選択タブ２０８の「機能リスト」が押圧されたとき、例えば図７に示す機能選択画面が主制御部８により操作表示パネル２００に表示され、さらに編集キー２０５が押圧された場合、設定記憶部８０１に記憶されている設定情報を選択するための出力管理画面２１０（図９参照）が編集制御部８０２により操作表示パネル２００に表示される（ステップＳ２１０）。
【００６０】
次に、ユーザーによって、出力管理画面２１０に表示されたジョブ、例えばジョブ番号３の設定情報が表示されている画面上が押圧され、さらに選択キー２１８が押圧されたことが操作表示パネル２００で検出されることによって、ジョブ番号３の設定情報が選択される（ステップＳ２１１）。
【００６１】
次に、編集制御部８０２により、操作表示パネル２００に編集設定画面２０９（図８参照）が表示されると共に、追加挿入キー２０６が押圧されたことが検出された場合には編集モードとして追加挿入モードが設定され、一方、差し替えキー２０７が押圧されたことが検出された場合には編集モードとして差し替えモードが設定される（ステップＳ２１２）。
【００６２】
次に、編集制御部８０２により、追加挿入及び差し替え対象となる編集対象ページの入力画面（図示せず）が操作表示パネル２００に表示され、操作表示パネル２００が操作されることによって入力されたページが前記編集対象ページとして設定される（ステップＳ２１３）。
【００６３】
次に、設定記憶部８０１に記憶されたジョブ番号３の設定情報から、ジョブ番号３で画像形成を行った用紙のサイズのうち最も大きい用紙サイズが、編集制御部８０２により確認され、当該最も大きいサイズの用紙を収納可能な給紙デッキ部、例えばＡ３サイズの用紙を収納可能な給紙デッキ部３１が選択される。そして、ユーザーに対して、当該選択された給紙デッキ部３１に編集対象となる画像形成済みの用紙を収納させるための指示、及び原稿載置部１１に追加原稿を載置させるための指示を与えるガイド表示画面（図１４参照）が編集制御部８０２により操作表示パネル２００に表示される（ステップＳ２１５）。
【００６４】
次に、編集制御部８０２により、操作表示パネル２００に表示された編集スタートボタン（図示せず）が押圧されたことが検出された場合（ステップＳ２１６でＹＥＳ）、編集が実行される。
【００６５】
図１５は、ステップＳ２１６における編集モードでの処理を示すフローチャートである。この場合、給紙デッキ部３１には、図１１，図１２に示すソート出力状態１１１で編集対象の用紙が収納されている。
【００６６】
まず、編集制御部８０２により設定記憶部８０１に記憶されたジョブ番号３の設定情報から、複写枚数（セット数）が変数ｉに、原稿枚数が変数ｊに代入され（ステップＳ３０１）、用紙センサ４５で得られた編集用紙検出信号がＨｉレベルのとき（ステップＳ３０２でＹＥＳ）、編集対象の用紙が給紙デッキ部３１にないと判断される。この場合、ジョブ番号３の設定情報から得られる編集対象の用紙の枚数分の編集処理が実行される前に編集対象の用紙がなくなったことになるため、編集処理が正常に行われなかったことをユーザーに通知するためのエラー通知画面が編集制御部８０２により操作表示パネル２００に表示され（ステップＳ３０３）、編集モードでの処理が終了する。
【００６７】
一方、用紙センサ４５で得られた編集用紙検出信号がＬｏｗレベルのとき（ステップＳ３０２でＮＯ）、編集制御部８０２により、編集対象の用紙が給紙デッキ部３１に収納されていると判断され、さらに、給紙デッキ部３１の最上位にある用紙が前記編集対象ページであるか否かが判断され、前記編集対象ページではない場合は（ステップＳ３０４でＮＯ）、編集制御部８０２からの制御信号に従って、給紙デッキ部３１の最上位にある用紙が用紙搬送部７０へ給紙され（ステップＳ３０５）、さらに用紙搬送部７０によって当該用紙がソータ部１００へ搬送されると共にソートビン１０３に排出される（ステップＳ３０６）。以上、ステップＳ３０４〜Ｓ３０６の処理により、編集対象の用紙から前記編集対象ページ以外のページがソートビン１０３に排出される。
【００６８】
この場合、ステップＳ３０５において、給紙デッキ部３１に例えば自動用紙設定によって複写されたＡ３サイズの用紙とＡ４サイズの用紙が編集対象の用紙として混在して収納されていた場合、Ａ３サイズの用紙は給紙ローラ４１、搬送ローラ４３及びさばきローラ４４によって用紙搬送部７０へ給紙され、一方、Ａ４サイズの用紙は前送りローラ４２によって給紙ローラ４１の位置まで搬送された後、給紙ローラ４１、搬送ローラ４３及びさばきローラ４４によって用紙搬送部７０へ給紙される。
【００６９】
一方、編集制御部８０２により、給紙デッキ部３１の最上位に収納されている編集対象の用紙が前記編集対象ページであると判断された場合は（ステップＳ３０４でＹＥＳ）、原稿載置部１１に載置された追加原稿が複写されて（ステップＳ３０７）ソートビン１０３に排出される（ステップＳ３０８）。
【００７０】
次に、編集制御部８０２からの制御信号に従って、給紙デッキ部３１の最上位にある用紙、すなわち前記編集対象ページの用紙が用紙搬送部７０へ給紙され（ステップＳ３０９）た後、編集モードの設定が追加挿入モードであった場合（ステップＳ３１０でＹＥＳ）、ステップＳ３０６へ移行して前記編集対象ページの用紙がソートビン１０３に排出される。以上、ステップＳ３０４，Ｓ３０７〜Ｓ３１０及びＳ３０６の処理により、追加挿入モードの処理が実行され、前記編集対象ページの用紙の前に原稿載置部１１に載置された追加原稿が複写され挿入されて、編集対象の用紙がソートビン１０３に排出される。
【００７１】
一方、編集モードの設定が差し替えモードであった場合（ステップＳ３１０でＮＯ）、編集制御部８０２からのビン切換信号に応じてソータ制御部１０５により排出分岐ガイド１０１がノンソートビン１０２側へ切り替えられ、用紙搬送部７０へ給紙された前記編集対象ページの用紙がノンソートビン１０２に排出される（ステップＳ３１１）。以上、ステップＳ３０４，Ｓ３０７〜Ｓ３１１の処理により、差し替えモードの処理が実行され、原稿載置部１１に載置された追加原稿が複写され前記編集対象ページの用紙と差し替えられて編集対象の用紙がソートビン１０３に排出されると共に、前記編集対象ページの用紙がノンソートビン１０２に排出される。
【００７２】
次に、編集制御部８０２により、変数ｊから１減算され（ステップＳ３１２）、減算された結果ｊが０でなかった場合（ステップＳ３１３でＮＯ）は原稿枚数分の編集処理が終わっていないので、給紙デッキ部３１の最上位にある用紙は、次ページの用紙であると判断され、次ページの用紙への処理を実行すべく再びステップＳ３０２へ移行する。
【００７３】
一方、変数ｊが０の場合（ステップＳ３１３でＹＥＳ）は、原稿と同じページの並び順にされた原稿枚数（セット数）分の用紙（１部に相当）の編集が終了しているので、給紙デッキ部３１の最上位にある用紙は、次の部（セット）の最初のページの用紙であると判断される。そして、次の用紙を別のビンに排出させるべく、編集制御部８０２によりソートビン昇降信号がソータ制御部１０５へ出力され、ソータ制御部１０５によりビン昇降機構１０４の動作が制御され、ソートビン１０３の各排出ビンが順次１段ずつ例えば上方向に移動させられて用紙を排出するビンが切り替えられる（ステップＳ３１４）。
【００７４】
次に、編集制御部８０２により、変数ｉから１減算され（ステップＳ３１５）、減算された結果ｉが０でなかった場合は（ステップＳ３１６でＮＯ）、編集制御部８０２は、編集対象の用紙がまだ給紙デッキ部３１に収納されていると判断して、次の部（セット）の用紙を編集するべく変数ｊに原稿枚数を代入して初期化（ステップＳ３１７）した後、再びステップＳ３０２へ移行して次の用紙の編集処理を行う。一方、前記減算された結果ｉが０の場合は（ステップＳ３１６でＹＥＳ）、編集制御部８０２は、編集対象の用紙をすべて処理したと判断して編集処理を終了する。
【００７５】
以上、ステップＳ３０１〜Ｓ３１７の処理により、編集モードが追加挿入モードであった場合は、給紙デッキ部３１に収納された編集対象の用紙に対して、前記編集対象ページの前に追加原稿を複写した用紙が挿入され、部（セット）毎にソートビン１０３の各排出ビンに排出される。また、編集モードが差し替えモードであった場合は、給紙デッキ部３１に収納された編集対象の用紙に対して、前記編集対象ページと追加原稿を複写した用紙とが差し替えられて、部（セット）毎にソートビン１０３の各排出ビンに排出される。
【００７６】
なお、カラー画像を形成して転写紙に転写するカラー画像形成装置の場合には、前記追加原稿から得られたカラー画像を複写した用紙が、前記編集対象ページの用紙と差し替えられる構成としてもよい。
【００７７】
【発明の効果】
請求項１に記載の発明によれば、前記第２の用紙載置部に画像形成済みの転写紙の束が載置された場合に、前記画像形成済みの転写紙の束に、新たに画像形成された転写紙を挿入することができる。また、前記編集モードでの動作を行う際に、ユーザーが前記セット数及びセット数あたりの転写数を入力する必要がない。
【００７８】
請求項２に記載の発明によれば、前記第２の用紙載置部に画像形成済みの転写紙の束が載置された場合に、前記画像形成済みの転写紙の束に、新たに画像形成された転写紙を追加して挿入することができる。
【００７９】
請求項３に記載の発明によれば、前記第２の用紙載置部に画像形成済みの転写紙の束が載置された場合に、前記画像形成済みの転写紙の束内の所定のページの転写紙と、新たに画像形成された転写紙とを差し替えることができる。
【００８０】
請求項４に記載の発明によれば、前記ガイドが表示されるので、ユーザーが前記像形成モードにより前記排出部に排出された転写紙を前記編集の対象となる転写紙として前記第２の用紙載置部に載置する作業が容易になる。
【図面の簡単な説明】
【図１】本発明の一実施形態に係る画像形成装置の正面断面図である。
【図２】本発明の一実施形態に係る給紙デッキ部３１の斜視図である。
【図３】本発明の一実施形態に係る給紙デッキ部３１の斜視図である。
【図４】本発明の一実施形態に係る給紙デッキ部３１の斜視図である。
【図５】本発明の一実施形態に係る画像形成装置のブロック図である。
【図６】本発明の一実施形態に係る操作画面の一例を示す図である。
【図７】本発明の一実施形態に係る操作画面の一例を示す図である。
【図８】本発明の一実施形態に係る操作画面の一例を示す図である。
【図９】本発明の一実施形態に係る設定情報表示画面の一例を示す図である。
【図１０】本発明の一実施形態に係る画像形成装置の複写動作を示すフローチャートである。
【図１１】本発明の一実施形態に係る追加挿入モードの動作を説明するための図である。
【図１２】本発明の一実施形態に係る差し替えモードの動作を説明するための図である。
【図１３】本発明の一実施形態に係る編集モードの処理を示すフローチャートである。
【図１４】本発明の一実施形態に係るガイド表示画面の一例を示す図である。
【図１５】本発明の一実施形態に係る編集モードの処理を示すフローチャートである。
【図１６】従来例によるソート動作を説明するための図である。
【符号の説明】
１　　　　　　複写機本体
７　　　　　　コンタクトガラス
８　　　　　　主制御部（制御部）
１０　　　　原稿搬送機構
１１　　　　原稿載置部
１２　　　　搬入駆動部
１３　　　　搬送ベルト
１４　　　　排出ローラ
１５　　　　排紙台
１６　　　　原稿検出スイッチ
１７　　　　原稿搬送制御部（制御部）
３０　　　　給紙部（用紙載置部）
３１，３２，３３　　　　　　　　給紙デッキ部（用紙載置部）
３４　　　　手差し給紙部（用紙載置部）
４０　　　　用紙載置板
４１　　　　給紙ローラ
４２　　　　前送りローラ
４３　　　　搬送ローラ
４４　　　　さばきローラ
４５　　　　用紙センサ
４６，４７　　　　　　用紙
５０　　　　光学系部（読み取り部）
５１　　　　露光ランプ
５２　　　　反射板
５３ａ，５３ｂ，５３ｃ，５３ｄ，５３ｅ，５３ｆ　　反射鏡
５４　　　　レンズ部
６０　　　　像形成部
６１　　　　感光体
６２　　　　主帯電部
６３　　　　現像部
６４　　　　転写分離部
６５　　　　クリーニング部
６６　　　　除電部
７０　　　　用紙搬送部
７１　　　　搬送ローラ対
７４　　　　フィードローラ対
７５　　　　レジストローラ対
７６　　　　搬送ベルト
７７　　　　導出ローラ対
７８　　　　排出ローラ対
８０　　　　定着部
１００　　ソータ部（並び替え部）
１０１　　排出分岐ガイド
１０２　　ノンソートビン（排出部）
１０３　　ソートビン（排出部）
１０４　　ビン昇降機構
１０５　　ソータ制御部（制御部）
１１０　　原稿
１１１　　ソート出力状態
２００　　操作表示パネル（操作部，ガイド表示手段）
２０１　　用紙選択キー
２０２　　プリントキー
２０３　　セットキー
２０４　　ソートキー
２０５　　編集キー
２０６　　追加挿入キー
２０７　　差し替えキー
２０８　　キー選択タブ
２０９　　編集設定画面
２１０　　出力管理画面
２１３　　ジョブ番号欄
２１４　　ユーザー情報欄
２１５　　原稿枚数欄
２１６　　セット欄
２１７　　登録日時欄
２１８　　選択キー
２１９　　プリンタジョブマーク
２２０　　コピージョブマーク
３１１　　仕切り板
３１２　　反射板
３１３　　凹陥部
３１４　　用紙
３４１　　手差しトレイ
８０１　　設定記憶部（記憶手段）
８０２　　編集制御部（制御部）
【図１】
2004133306.tif 000003
【図２】
2004133306.tif 000004
【図３】
2004133306.tif 000005
【図４】
2004133306.tif 000006
【図５】
2004133306.tif 000007
【図６】
2004133306.tif 000008
【図７】
2004133306.tif 000009
【図８】
2004133306.tif 000010
【図９】
2004133306.tif 000011
【図１０】
2004133306.tif 000012
【図１１】
2004133306.tif 000013
【図１２】
2004133306.tif 000014
【図１３】
2004133306.tif 000015
【図１４】
2004133306.tif 000016
【図１５】
2004133306.tif 000017
【図１６】
2004133306.tif 000018